(57)【特許請求の範囲】
【請求項１】
上下動自在な回転パイプを具備した床ノズル本体の下部に形成された吸い込み室内に、回転ブラシの一端に、軸受けを設けたブラケットとマグネットで構成された回転子と、前記マグネットと対向して位置する巻線されたコアと前記コアに圧入されたシャフトで構成された固定子とから成るアウターローターモータを連結して具備し、前記回転ブラシの外周と前記ブラケットの外周に複数枚の熱伝導性が良く、かつ可撓性の材料から成るごみを掻き出すためのブレードを設けた電気掃除機用床ノズル。
【請求項２】
回転ブラシの外周とブラケットの外周に設けたブレードに凹凸部を形成した請求項１記載の電気掃除機用床ノズル。
【請求項３】
回転ブラシの外周に設けたブレードの枚数よりも多い枚数のブレードを前記ブラケットの外周に設けた請求項１記載の電気掃除機用床ノズル。
【請求項４】
回転ブラシの外周に設けたブレードの枚数よりも多い枚数のブレードをマグネットの内部に埋め込んだ請求項１記載の電気掃除機用床ノズル。
【発明の詳細な説明】
【０００１】
【産業上の利用分野】
本発明は、一般家庭において利用する電気掃除機の床ノズルに関するものである。
【０００２】
【従来の技術】
従来、この種の電気掃除機用床ノズルは、図９〜図１０のような構成になっていた。
【０００３】
１はバンパー２を介して上ノズル部材３と下ノズル部材４からなる床ノズル本体で、下ノズル部材４の底面には吸い込み室５が設けられていた。
【０００４】
前記吸い込み室５内には、回転ブラシ６が具備されており、前記回転ブラシ６は、床ノズル本体１内に具備されたモータ７により、ベルト８を介して駆動されていた。
【０００５】
前記回転ブラシ６の外周には複数の可撓性材料から成るブレード９が設けられており、ブレード９には多数の突起１０が形成されていた。
【０００６】
また、床ノズル本体１の後方には、上下回転自在なる回転パイプ１１が設けられており、常に床ノズル本体１が被掃除面に対して平行になるようにしている。
【０００７】
前記モータ７によって回転ブラシ６が高速で回転することにより、ブレード９の突起１０がじゅうたんの奥深く潜り込んだごみを掻き出して、吸い込み室５より吸引された空気とともに、床ノズル本体１内から、回転パイプ１１内を通り掃除機本体（図示せず）内へ導かれることになる。また、この時床ノズル本体１に形成された冷却穴１２より空気が一部流入し、前記モータ７を冷却した後、回転パイプ１１内へと導かれるようになっていた。
【０００８】
【発明が解決しようとする課題】
このような従来の構成においては、回転ブラシ６を回転させるモータ７と回転ブラシ６が平行に位置しているため、床ノズル本体１が大きく、かつ重くなって、操作が重くて使い勝手の悪いものになる問題点を有していた。またごみを含んだ空気でモータ７を冷却していたのでモータを故障させる原因になる問題点を有していた。
【０００９】
本発明は、操作が軽くて使い勝手が良く、またモータの冷却は安全性高く容易にできるようにした電気掃除機用床ノズルを提供することを目的としている。
【００１０】
【課題を解決するための手段】
本発明は、上記目的を達成する為に、上下動自在な回転パイプを具備した床ノズル本体の下部に形成された吸い込み室内に、回転ブラシの一端に、軸受けを設けたブラケットとマグネットで構成された回転子と、前記マグネットと対向して位置する巻線されたコアと前記コアに圧入されたシャフトで構成された固定子とから成るアウターローターモータを連結して具備し、前記回転ブラシの外周と前記ブラケットの外周に複数枚の熱伝導性が良く、かつ可撓性の材料から成るごみを掻き出すためのブレードを設けたものである。
【００１１】
また、回転ブラシの外周とブラケットの外周に設けたブレードに凹凸部を形成したものである。
【００１２】
また、回転ブラシの外周に設けたブレードの枚数よりも多い枚数のブレードを前記ブラケットの外周に設けたものである。
【００１３】
また、回転ブラシの外周に設けたブレードの枚数よりも多い枚数のブレードをマグネットの内部に埋め込んで構成したものである。
【００１４】
【作用】
上記の構成により、モータの発熱はブラケットからブレードに伝わり、吸い込まれた空気によって冷却されることになるので、モータの安全性を向上させることができ、かつ小型で軽量な床ノズルが実現でき、床ノズルの操作性を著しく向上させることができるものである。
【００１５】
【実施例】
以下、本発明の実施例について図１〜図３に基づき説明する。
【００１６】
２０は、バンパー２１を介して上ノズル部材２２と下ノズル部材２３からなる床ノズル本体で、前記下ノズル部材２３の底面には、吸い込み室２４が設けられている。また、床ノズル本体２０の後方には、上下動自在な回転パイプ２５が具備され、また前記吸い込み室２４内には、回転ブラシ２６が具備されている。
【００１７】
軸受け２７を設けたブラケット２８とマグネット２９で構成された回転子３０と、前記マグネット２９と対向して位置する巻線３１が巻かれたコア３２と前記コア３２に圧入されたシャフト３３と固定板３４で構成された固定子３５とから成るアウターローターモータ３６を具備し、前記アウターローターモータ３６のブラケット２８は、前記回転ブラシ２６と連動しており、固定子３５は前記床ノズル本体２０に固定されており、前記回転ブラシ２６の外周と前記アウターローターモータ３６のブラケット２８の外周に複数枚の熱伝導性が良く、かつ可撓性材料から成るブレード３７を設けたものである。
【００１８】
次に、この一実施例の構成における作用を説明する。
【００１９】
まず、アウターローターモータ３６の巻線３１に電流が通じると、マグネット２９が固定された回転子３０がシャフト３３を中心に回転し、ブラケット２８と連動して回転ブラシ２６が回転する。ブラケット２８の外周と回転ブラシ２６に設けられた可撓性材料からなる複数のブレード３７が高速で回転することにより、じゅうたんのごみを掻き出して空気と共に吸い込まれるものである。前記固定子３５は固定板３４によって床ノズル本体２０に固定されている。
【００２０】
この時、巻線３１が発熱するのでシャフト３３、コア３２、マグネット２９、ブラケット２８に熱が伝わって行くことになる。前記ブラケット２８の外周に設けたブレード３７は、熱伝導性が良い材料から成っているので、熱がブレード３７全体に伝わって行き、吸い込まれる空気によってブレード３７に伝わった熱が冷却されることになり、アウターローターモータ３６の冷却効果を向上させて安全性を向上させ、かつ小型で軽量な床ノズル本体２０を実現することができるものである。
【００２１】
次に他の実施例について説明する。
【００２２】
図４に示す実施例では、前記ブレード３７に多数の凹凸形状部３８を形成して外気と触れる面積を広くすることによって、ブレード３７に伝わった熱を放熱しやすくしてモータの冷却効果を向上させることができるものである。
【００２３】
図５〜図６に示す実施例では、アウターローターモータ３６のブラケット２８の外周に、回転ブラシ２６に設けたブレード３７の枚数よりも多い枚数の熱伝導性の良い冷却用ブレード３９を設けることによって、熱が冷却用ブレード３９に伝わって直ちに放熱、冷却されるので、更にアウターローターモータ３６の冷却性能を向上させることができるものである。
【００２４】
図７に示す実施例では、アウターローターモータ３６を構成するマグネット２９に回転ブラシ２６に設けたブレード３７の枚数よりも多い枚数の熱伝導性の良い冷却用ブレード３９を埋め込むことによって、アウターローターモータ３６の巻線３１で生じた熱を前記冷却用ブレード３９に伝導しやすくできるので、更にアウターローターモータ３６の冷却性能を向上させることができる。
【００２５】
図８に示す実施例では、アウターローターモータ３６を構成するシャフト３３を伸ばすことによって、図２に示す巻線３１で発熱した熱がコア３２からシャフト３３に伝わることになり、長く伸びたシャフト３３から熱が放出され、更にアウターローターモータ３６の冷却効果が向上する。シャフト３３の表面積を大きくするためにアウターローターモータ３６から伸びた部分の径を大きくした段付きシャフトとしても良い。
【００２６】
【発明の効果】
以上のように構成された本発明によれば、アウターローターモータの冷却効果を向上させて安全性を向上させ、かつ小型、軽量で操作性の高い床ノズルを実現することができるものである。
【図面の簡単な説明】
【図１】本発明の一実施例を示す床ノズルの平断面図
【図２】同床ノズルにおけるアウターローターモータの平断面図
【図３】同床ノズルの平面図
【図４】同床ノズルにおけるブレードの変形例を示す断面図
【図５】本発明の他の実施例を示す床ノズルの平断面図
【図６】同床ノズルにおけるアウターローターモータの断面図
【図７】同床ノズルにおけるアウターローターモータの変形例を示す断面図
【図８】本発明の別の実施例を示す床ノズルの平断面図
【図９】従来における床ノズルの平断面図
【図１０】同床ノズルの斜視図
【符号の説明】
２０  床ノズル本体
２４  吸い込み室
２６  回転ブラシ
２８  ブラケット
２９  マグネット
３０  回転子
３１  巻線
３２  コア
３３  シャフト
３５  固定子
３６  アウターローターモータ
３７  ブレード
３８  凹凸形状部
３９  冷却用ブレード
【図１】
0003629721.tif 000002
【図２】
0003629721.tif 000003
【図３】
0003629721.tif 000004
【図４】
0003629721.tif 000005
【図５】
0003629721.tif 000006
【図６】
0003629721.tif 000007
【図７】
0003629721.tif 000008
【図８】
0003629721.tif 000009
【図９】
0003629721.tif 000010
【図１０】
0003629721.tif 000011